(57)【要約】【課題】ビル陰などで見られる受信障害を改善するために導入されるギャップフィラー中継器で、干渉による受信障害を新たに引き起こさないＯＦＤＭ信号の送信方法およびその再送信方法を提案する。【解決手段】送信されたＯＦＤＭ方式の放送電波を受信して再送信する中継システムで、放送電波を受信し、受信した放送電波信号の振幅、位相、あるいは周波数を増減するか、あるいはガードインターバルの長さ未満で遅延させ、送信手段で再送信する。また、受信した放送電波信号を複数に分岐し、その振幅、位相、あるいは周波数を増減するか、ガードインターバル未満で遅延させ、合波して再送信してもよい。送信アンテナは、単数でも複数でもよい。中継でなく送信においても、複数に分岐し、その振幅、位相、あるいは周波数を増減するか、ガードインターバル未満で遅延させ、合波して送信してもよい。【選択図】図４
2007259226.tif 000002
【特許請求の範囲】
【請求項１】
受信手段と信号操作手段と送信手段とを備え、送信されたＯＦＤＭ方式の放送電波を受信して再送信する中継システムにおいて、
送信されたＯＦＤＭ方式の放送電波を受信手段で受信するステップと、
受信したＯＦＤＭ方式の放送電波信号の振幅、位相、あるいは周波数を信号操作手段で増減するか、あるいは放送電波信号をガードインターバルの長さ未満となるように前記の信号操作手段で遅延させるステップと、
上記の信号操作の加えられた放送電波信号を送信手段で再送信するステップと、
を含むことを特徴とするＯＦＤＭ信号の再送信方法。
【請求項２】
受信手段と分岐手段と信号操作手段と合波手段とアンテナを持った送信手段とを備え、送信されたＯＦＤＭ方式の放送電波を受信して再送信する中継システムにおいて、
送信されたＯＦＤＭ方式の放送電波を受信手段で受信するステップと、
受信したＯＦＤＭ方式の放送電波信号を分岐手段で複数に分岐するステップと、
分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、
上記の信号操作手段によって操作された放送電波信号を合波するステップと、
合波された放送電波信号を送信手段で、ひとつのアンテナから再送信するステップと、
を含むことを特徴とするＯＦＤＭ信号の再送信方法。
【請求項３】
受信手段と分岐手段と信号操作手段と合波手段と複数のアンテナを持った送信手段とを備え、送信されたＯＦＤＭ方式の放送電波を受信して再送信する中継システムにおいて、
送信されたＯＦＤＭ方式の放送電波を受信手段で受信するステップと、
受信したＯＦＤＭ方式の放送電波信号を分岐手段で複数に分岐するステップと、
分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、
上記の信号操作手段によって操作された放送電波信号を複数の送信手段で複数のアンテナから再送信するステップと、
を含むことを特徴とするＯＦＤＭ信号の再送信方法。
【請求項４】
信号操作手段によって操作された放送電波信号の再送信においては、送信されたＯＦＤＭ方式の放送電波のみを信号操作手段よる操作なしで再送信する場合には受信障害が発生する地点を含む地域に向けた指向性を備えたアンテナで送信することを特徴とする請求項１から３のいずれかに記載のＯＦＤＭ信号の再送信方法。
【請求項５】
放送電波信号の発生手段と分岐手段と信号操作手段と複数のアンテナを持った送信手段とを備えＯＦＤＭ方式の放送電波を送信するシステムにおいて、
送信するＯＦＤＭ方式の放送電波信号を分岐手段で複数の送信アンテナ用に分岐するステップと、
分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、
上記の信号操作手段によって操作された放送電波信号を複数の送信手段で複数のアンテナから送信するステップと、
を備えることを特徴とするＯＦＤＭ信号の送信方法。
【発明の詳細な説明】
【技術分野】
【０００１】
この発明は、受信障害の発生しづらいＯＦＤＭ信号の送信方法およびその再送信方法に関している。
【背景技術】
【０００２】
地上デジタル放送の本格的な放送開始にむけて、大都市圈から全国へと準備が広がっている。地上デジタル放送は、ＯＦＤＭ（直交波周波数分割多重）方式を採用しており、マルチパスなどの多重遅延波に強いことが特徴とされている。それを利用したＳＦＮ（単一周波数ネットワーク）方式は、同一の番組を同一チャンネルで隣接するサービスエリアで送信するもので、従来のアナログでは混信妨害となり成立しなかったが、ＯＦＤＭ方式では、許容される遅延時間内の遅延波が信号の復調に大きな影響とはならない。このことにより、同一周波数でサービスエリアを連続して形成することができる。
【０００３】
ＯＦＤＭ方式は、複数の搬送波を用いる多重化によってデータの転送を分担させ、シンボル長を大きくすることで、遅延到来波による妨害を小さくすることができる方式である。さらに、遅延到来波の遅延時間に見合う時間だけ、各送信シンボルの間に時間の空白を挿入することによって、遅延波の影響を排除する工夫（ガードインターバル）が可能な方式である。ガードインターバルは、図１１に示す様に、シンボルの末尾を先頭に付加する事で、シンボルに冗長性を持たせたものである。
【０００４】
また、ＯＦＤＭ方式では、数百から数千のデジタル変調波を周波数軸上に等間隔に並べて伝送する。これを、一般的なＦＤＭ（Frequency Division Multiplexing）と比較してみると、変調波のスペクトル間隔に違いがある。一般的なＦＤＭ方式では、各々の変調波のスペクトルは互いに重ならないよう周波数間隔をあけて配置されており、受信側においても、個々の変調波を抽出するためのフィルタを用いる必要がある。しかしＯＦＤＭ方式においては、周波数間隔をシンボル長の逆数とし、すべてのシンボルタイミングを一致させる。この条件下では、スペクトルの一部が重なるような多重化となるが、受信側では完全に分離可能である。
【０００５】
この様に、ＯＦＤＭ方式は、多数の直交するキャリアに情報を乗せて伝送する方式であり、個々のチャンネルのデータ転送速度は遅いため、遅延到来波による妨害を小さくすることができることが知られている。また、送信局からの電波が受信機に到達するまでの伝搬経路中に、多数の反射波や遅延波が生じる場合には、受信点ではそれらが複合した受信状態（多重伝搬）になり、信号品質が劣化することも知られている。
【０００６】
しかし、一般に、信号品質の劣化が生じた場合においても、多重伝搬路特性が判明すれば、その逆特性や伝達関数（複素遅延プロファイル）を用いて、受信信号に対して信号処理を施すことにより、信号品質を改善させることが期待できる。これまでに提案された一般的な伝搬路特性の推定手法として、スキャッタード・パイロット（ＳＰ：Scattered Pilot）シンボルを使用した推定手法が良く知られている。これは、伝搬路特性の推定のために付加されるもので、地上デジタル放送の固定受信を主たる目的としたものである。この伝搬路特性の推定手法は、送信側から既知情報としてＳＰシンボルを含んだ信号を送信し、受信側で受信した既知の情報と、送信された既知情報とを比較して、その変化を検出することにより伝搬路歪の原因となる多重伝搬路特性を推定する手法である。また、その逆特性を受信信号に与えることによる補償技術が実用化されている。
【０００７】
ＯＦＤＭ方式の放送では上記のような工夫が行なわれているが、以下のような受信障害が起こることが予想される。一般に、送信所からの放送波を直接受信するには、受信点での所要電界強度を満足することが必要である。しかし、ビル陰や屋内、地下空間などへは、送信所からの電波が伝搬しづらい上に、移動体中で使用する携帯端末など受信機では低い位置にアンテナが設置されるというのはよくある受信条件であるが、この場合には、受信電界強度が低下することがよくある。その低下が著しいときには、所要の電界強度を得られずに受信不能となる。このように放送波の受信が困難な場所においても受信しようとする場合は、送信電波を増力して中継することが必要になる。この技術はギャップフィラーと呼ばれている。
【０００８】
しかし、例えば、図１（a）に示す様に、ビル陰などで見られるが、回折波、反射波、再送信波などの、複数の経路で伝搬する到来波に対して、それぞれの電波の遅延時間差が僅かであるが存在する場合に、受信点で合成される到来波の位相関係によっては、図１（ｂ）に示す様に受信周波数帯域内の一部で電力低下を招く場合がある。つまり、全体として受信電界強度が十分にある空間においても、スポット的に電界の低下する部分が生じることになる。よく知られているように地上デジタルテレビ放送波では、帯域幅６MHｚの一つのチャンネルを１４等分割した帯域幅をセグメントと呼び、チャンネル中央に１３セグメントの信号を配置し、残る１セグメントを二分して帯域の両サイドにカードバンドとして割当てている。ハイビジョン放送（HDTV）では12セグメント、通常画質の放送では 4セグメント用いるが、携帯電話などのモバイル端末向けには、専用に1セグメントが割り当てられている。このような１セグメントを受信するモバイル型の受像機は色々な受信環境に置かれる。例えば、都市部を自動車で走行中に受信する場合に、放送アンテナから見てビル陰に入った場合には、少なくとも２経路を通過した放送波の干渉による影響を受けることがある。これは、アナログ放送の場合には、マルチパスフェージングとして知られており、映像の同期が乱れるなどの障害が現れるが、１セグメント受信のデジタルテレビ受像機では、一度データの欠落によって訂正不能に至ると、再び正常に表示するために必要な画像データが蓄積されるまでの時間、画像の表示がなくなるか静止画が表示されることになる。このように情報が途絶えるなど正常に表示されない時間は、上記のアナログ放送よりも途絶による受信障害の印象が強い。
【０００９】
図２は、再送信波を２箇所のアンテナを用いて再送信する例であるが、この場合も、遅延時間の接近した同一の信号を受信すると、フラットフェージングなどの障害となり受信レベルが大きく減衰するなどの影響が生じる場合がある。
【００１０】
この現象は、送信所からの信号と中継器からの信号が干渉する場合にも発生する。これは、ギャップフィラー中継器(受信障害による難視聴地域向けに電波を再送信する中継器)の内部遅延や伝搬経路による遅延が僅かながら生じているためである。このことは、受信環境改善の目的で設置するギャップフィラー局の設置で、新たな受信障害ゾーンが、干渉による劣化で発生する場合があることを意味する。
【発明の開示】
【発明が解決しようとする課題】
【００１１】
ビル陰などで見られる受信障害や受信電界が低下する屋内の状況を改善するために導入されるギャップフィラー中継器で、干渉による受信障害ゾーンという問題を新たに引き起こさない様なＯＦＤＭ信号の送信方法およびその再送信方法を提案する。
【発明の効果】
【００１２】
この発明によって、干渉による受信障害ゾーンを引き起こすことなく、ＳＦＮ方式のギャップフィラー中継を行なうことが出来る。
【課題を解決するための手段】
【００１３】
上記の問題を解決するための改善策として、本発明では、伝達関数制御を用いた空間ダイバーシティ送信方式を用いたＯＦＤＭの送信方法を提案する。これは、概略、中継器の送出信号には、予め多重波合成と振幅、位相、周波数、遅延時間の制御を行い、マルチパスフェージングの影響を受けた状態の信号を生成して送信する、ということである。これにより、送信所からの到来波とは異なる伝達関数を与えたことになるので、帯域内の電力を大きく劣化させるような最悪の干渉を回避できる。また、ギャップフィラー中継器の送信部を２以上にし、自局の干渉による電界強度の低下を他方の送信局からの信号で埋め合わせることにより、サービス空間内で特異点のない受信環境を実現するものである。
【００１４】
より詳しくは、以下に示す。送信シンボルをｄ、受信シンボルをｙ、伝達関数をｈ、雑音をＮ、シンボル番号をｍ、ギャリア番号をｌ（エル）、到来波数をＰ、振幅をｒ、シンボル長をτs、遅延時間τi、搬送波周波数をｆｃ、キャリア間隔をｆ0、初期位相をβとするとき、固定受信の多重伝搬のモデルでは、ＯＦＤＭ  信号の受信信号を受信復調した場合、次の数１で表される。
【００１５】
【数１】
2007259226.tif 000003
【００１６】
ギャップフィラー中継を行う場合、中継信号と本来の到来波が干渉して帯域内で受信電界が落ち込む可能性がある。そこで、本発明では、ギャップフィラー中継の送信系統を複数にして、それぞれに異なる伝達関数を設定するとともに、その送信アンテナを空間内に近接しないように配置して独立の空間伝搬を形成させ、送信系統ごとに発生する電界強度の低下するスポットを空間内で相互補完させる空間ダイバーシティとする。ギャップフィラー中継２系統による伝搬モデルを式で表すと以下の数２から数７で表される。
【００１７】
【数２】
2007259226.tif 000004
【００１８】
【数３】
2007259226.tif 000005
【００１９】
【数４】
2007259226.tif 000006
【００２０】
【数５】
2007259226.tif 000007
【００２１】
【数６】
2007259226.tif 000008
【００２２】
【数７】
2007259226.tif 000009
【００２３】
ここで、数２の第１項を数３の伝達関数ｈSTに示すがこれは、送信所から信号であり、数２の第２項と第４項を数４の伝達関数ｈGFに示すがこれは、ギャップフィラー局からの信号を表している。また、
【００２４】
【数８】
2007259226.tif 000010
【００２５】
は、ギャップフィラー局の受信アンテナに到達した送信所の信号の伝達関数である。数２の第３項及び第５項は、周波数がずれた場合のキャリア間干渉を示す項である。ギャップフィラー局の送信周波数のずれ成分（伝達関数の周波数成分）はΔｆTである。数４の多重Ｐ波のΣは制御する伝達関数パラメータ項であり、多重Ｐ’波のΣ項はギャップフィラー送信アンテナから受信端末間の空間伝達関数である。
【００２６】
ここで、Ｐ波のΣ項の伝達関数パラメータ（多重波数、振幅、位相、遅延時間、周波数）を送信系統ごとに異なる値に設定すれば、各系統の送信信号の相関が小さくなり直接的な相互干渉が低減できる。そして、送信所からの信号とギャップフィラー局の信号の相関も小さくなり、受信端末のアンテナで各送信信号が合成されても電界強度の大幅な低下は生じないことが期待できる。
【００２７】
より具体的には、本発明は、受信手段と信号操作手段と送信手段とを備え、送信されたＯＦＤＭ方式の放送電波を受信して再送信する中継システムにおいて、
送信されたＯＦＤＭ方式の放送電波を受信手段で受信するステップと、受信したＯＦＤＭ方式の放送電波信号の振幅、位相、あるいは周波数を信号操作手段で増減するか、あるいは放送電波信号をガードインターバルの長さ未満となるように前記の信号操作手段で遅延させるステップと、上記の信号操作の加えられた放送電波信号を送信手段で再送信するステップと、を含むものである。
【００２８】
また、受信したＯＦＤＭ方式の放送電波信号を分岐手段で複数に分岐して処理してもよく、受信手段と分岐手段と信号操作手段と合波手段とアンテナを持った送信手段とを備え、送信されたＯＦＤＭ方式の放送電波を受信して再送信する中継システムにおいて、
送信されたＯＦＤＭ方式の放送電波を受信手段で受信するステップと、受信したＯＦＤＭ方式の放送電波信号を分岐手段で複数に分岐するステップと、分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、上記の信号操作手段によって操作された放送電波信号を合波するステップと、合波された放送電波信号を送信手段で、ひとつのアンテナから再送信するステップと、を含むとしてもよい。
【００２９】
また、再送信の際には複数のアンテナから送信してもよく、受信手段と分岐手段と信号操作手段と合波手段と複数のアンテナを持った送信手段とを備え、送信されたＯＦＤＭ方式の放送電波を受信して再送信する中継システムにおいて、
送信されたＯＦＤＭ方式の放送電波を受信手段で受信するステップと、受信したＯＦＤＭ方式の放送電波信号を分岐手段で複数に分岐するステップと、分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、上記の信号操作手段によって操作された放送電波信号を複数の送信手段で複数のアンテナから再送信するステップと、を含むものであってもよい。
【００３０】
また、信号操作手段によって操作された放送電波信号の再送信においては、送信されたＯＦＤＭ方式の放送電波のみを信号操作手段よる操作なしで再送信する場合には受信障害が発生する地点を含む地域に向けた指向性を備えたアンテナで送信するように設置する。
【００３１】
また、発信もとからの送信の際には、放送電波信号の発生手段と分岐手段と信号操作手段と複数のアンテナを持った送信手段とを備えＯＦＤＭ方式の放送電波を送信するシステムにおいて、
送信するＯＦＤＭ方式の放送電波信号を分岐手段で複数の送信アンテナ用に分岐するステップと、分岐した複数の放送電波信号から選択した放送電波信号の振幅、位相、あるいは周波数を信号操作手段で増減するか、あるいは放送電波信号を分岐された他の放送電波信号との遅延差がガードインターバルの長さ未満となるように前記の信号操作手段で遅延させるステップと、上記の信号操作手段によって操作された放送電波信号を複数の送信手段で複数のアンテナから送信するステップと、を備えるものである。
【発明を実施するための最良の形態】
【００３２】
以下に、この発明の実施の形態を図面に基づいて詳細に説明する。以下の説明においては、同じ機能あるいは類似の機能をもった装置に、特別な理由がない場合には、同じ符号を用いるものとする。
【００３３】
本発明の概要を図３に示す。本発明は、図３（ａ）に示す様にビル陰などで起こる受信障害を抑制するために、送信アンテナから送信された電波を受信して再送信するものである。特に図３（ｂ）では、再送信信号に振幅、位相、周波数あるいは遅延時間差を付加して、干渉による影響を軽減し、図３（ｃ）では、送信信号に多重伝播のプロファイルを持つように多重化して、干渉による影響を軽減する。
【実施例１】
【００３４】
図４は、送信されたＯＦＤＭ方式の放送電波と、それを再送信するシステムの実施例を示すブロック図である。受信地点として想定するのは、ビル陰などで受信障害の発生する地域や受信電界が低下する屋内である。ここで、再送信にあたっては、受信した信号を単に増幅して送信するのではなく、受信障害が起こらないように加工して、送信するものである。図４（ａ）においては、特に、送信されたＯＦＤＭ方式の放送電波を受信手段である受信アンテナ１で受信し、受信したＯＦＤＭ方式の放送電波信号を分岐手段２で複数に分岐し、分岐した複数の電波から選択した再送信する電波に信号操作手段３、４で異なる振幅、位相、あるいは周波数調整を行い、あるいは異なる遅延時間差を設け、受信した電波から意図的にずらした電波を合波手段５で合波した後、ひとつの送信アンテナ１０をもった送信手段を用いて再送信する。Ｓ１、Ｓ２はそれぞれ信号操作手段３、４を通過した信号から生成した再送信信号である。再送信された電波の受信地点では、送信された放送電波を直接受信した信号Ｓ０と、再送信されたＳ１とＳ２とを全て受信することになる。
【００３５】
信号操作手段３あるいは４では、図４（ｂ）に示す様に、振幅、位相、あるいは周波数の増減と、信号を遅延させる操作を行なうが、どちらの順序を入れ換えても効果の差は僅かで、同じ効果が得られるように設定することができることは明らかである。ここで、設ける遅延時間差は、ガードインターバルの長さ未満である。また、位相は２π以内であり、周波数は占有帯域内での調整を対象にしている。理想的な場合に、ひとつの信号から分岐した２つの信号の一方の位相あるいは振幅のみを増減した信号を他の分岐信号と合成した場合には、分岐前の信号と位相と振幅を除いて同じ信号となるが、分岐後の回路ではそれぞれ異なった信号遅延が発生することがたびたび起こる。このような場合には、分岐前の信号と位相と振幅を除いて同じ信号とはならず、再送信する信号に多重伝播のプロファイルを持つようにすることができる。
【００３６】
また、信号操作手段３で信号振幅を調整し、信号操作手段４で信号位相を調整しても、受信障害を抑制することができる。このような調整項目は、振幅、位相、周波数、遅延時間の殆どの組み合わせで行なうことが出来るが、上記の様に、両方において振幅や位相のみを調整する場合には、送信される電波は、もとの信号が増幅あるいは減衰したものになるので本来は効果が無いが、実際の場合には、図4の回路全体の都合で数μ秒程度の遅延時間が発生して同じにはならず、この場合でも受信障害が抑制される。
【００３７】
Ｓ１とＳ２は、例えば、Ｓ０からそれぞれ異なる遅延時間α、βの遅れがあるように設定することで、Ｓ０、Ｓ１とＳ２の全てを受信する場合には受信障害を無くすことができる。ここで、再送信するために用いる増幅などの信号処理回路により、自然に遅延時間が付加されることを用いる場合には、図５に示す様に、αあるいはβの一方のみを意図的に付加するようにすればよい事は明らかである。
【００３８】
上記の例では、再送信する際に受信した信号を２分岐としたが、さらに分岐数を増やして、種々の信号操作を行なった信号を合成して送信することによって、Ｓ０との伝達関数の相関を弱めるとともに、複数の送信系統があった場合にも相互の干渉を確率的に低減することができることは明らかである。
【００３９】
また、上記の例では１つのアンテナで再送信するものとしたが、分岐してそれぞれの遅延時間を付加した信号をそれぞれ別のアンテナから送信してもよいことは明らかである。例えば、図６においては、図４（ａ）の再送信装置のほかに、意図的な信号操作をせずに増幅器７で増幅して、別の送信アンテナ１１から送信するものである。図７の場合は、送信アンテナ１０、１１を用いて再送信するが、送信アンテナ１０では、積極的には信号操作しない信号（・'・）と操作―１あるいは操作―２の信号操作を行ったそれぞれの信号（S1+S2）とを加えて送信し、送信アンテナ１１では、操作―３あるいは操作―４の信号操作を行ったそれぞれの信号を加えて送信するものである。また、複数の地点からの再送信をおこなっても、つまり、図４から図７に示す再送信装置を複数用いて複数の送信地点から送信することによって受信地点での受信信号強度の場所依存性をさらに抑制することができることは明らかである。
【００４０】
また、図４（ａ）の再送信装置の信号操作手段では、周期的に、あるいはランダムに、振幅、位相、周波数、あるいは遅延時間を増減する操作を行なうことにより、固定化する伝搬条件を空間的および時間的に変化させる効果があるので、ダイバーシティ効果が高まり、受信障害を抑制することができる。
【実施例２】
【００４１】
次に、ＯＦＤＭ方式の放送電波を送信するシステムにおいて、送信するＯＦＤＭ方式の放送電波信号を複数の送信アンテナ用に分岐し、振幅、位相、あるいは周波数を信号操作手段で増減するか、ガードインターバルの長さ未満の遅延時間差放送電波信号間に設け、上記の複数の送信アンテナから送信する場合について図８を用いて説明する。図８には、送信するＯＦＤＭ方式の放送電波を本発明の適用で受信障害が起こりづらいようにして送信するシステムが記載されている。受信地点として想定するのは、ビル陰などで受信障害の発生する地域や受信電界が低下する屋内である。図８においては、特に、送信するＯＦＤＭ方式の放送電波信号を分岐手段９で４分岐し、３分岐は、第１系統数に、１分岐は、第２系統用いる。第１系統では、積極的には信号操作を加えない信号と、互いに異なる信号操作を加えた複数の信号とを合波手段５で合波して増幅し、送信アンテナ１０から送信する。第２系統では、信号操作手段８で振幅、位相、あるいは周波数を増減するかあるいは他の放送電波信号との遅延差がガードインターバルの長さ未満となるように遅延させる信号操作を加えてから増幅器７で増幅して送信アンテナ１１で送信する。上記の分岐手段９での信号の分岐は、ひとつの例であって、信号操作を行なうために必要な数に分岐すればよい。ここで、遅延時間差を設ける場合は、ガードインターバルの長さ未満である。また、送信アンテナ１０と１１とは、充分に離間していることが望ましい。
【実施例３】
【００４２】
以上のように受信障害を再送信により解決しようとする場合に、図９（a）に示す様に、再送信した電波が受信アンテナに回り込む場合がある。これを回避するためには、図９（ｂ）に示す様に、受信アンテナと送信アンテナとを離間させることが有効である。大概の場合に、どちらのアンテナも見通しのよい高所に設置されるので、これらをミリ波伝送などでワイヤレスに接続することで、容易に、それらの距離を充分に大きくとることができる。
【００４３】
図１０は、そのような再送信装置のブロック図の一例である。放送波の受信部２１で受信し、ミリ波送信部２２で信号変換した後ミリ波を送信する。伝送されたミリ波をミリ波受信部２４で受信し、信号逆変換したのち再送信部２５で遅延時間を付加するなどの信号整形した後、送信するものである。このようなミリ波を用いない場合には、光ファイバで伝送することもできる。図１０の光信号送信部２３で光信号にした後、光ファイバで伝送し、光信号受信部２６で受信してこの信号を活用する。
【産業上の利用可能性】
【００４４】
本発明は、ＯＦＤＭ方式の放送電波に限らず、ガードインターバルを持ったＯＦＤＭ方式の電波であれば、衛星放送や、ワイヤレスＬＡＮにも用いることが出来るのは明らかである。上記の例では、与えられたガードインターバルについて説明したが、本発明の要請からガードインターバルの長さを決めることで、本発明の効果をさらに顕著に示すことが出来る。
【図面の簡単な説明】
【００４５】
【図１】受信点で合成される到来波の位相関係によっては、受信周波数帯域内の一部で電力低下を招く場合があることを示す模式図である。
【図２】再送信波を２箇所のアンテナを用いて再送信する例を示す模式図である。
【図３】本発明の概要を示す模式図である。
【図４】送信されたＯＦＤＭ方式の放送電波を再送信する本発明を用いたシステムを示すブロック図である。
【図５】送信されたＯＦＤＭ方式の放送電波を再送信する本発明を用いたシステムで、簡略化された信号操作手段をもったものを示すブロック図である。
【図６】送信されたＯＦＤＭ方式の放送電波を再送信する本発明を用いたシステムで、他の例を示すブロック図である。
【図７】送信されたＯＦＤＭ方式の放送電波を再送信する本発明を用いたシステムで、一方の送信アンテナのみに積極的には信号操作を加えない信号を加えて送信する例を示すブロック図である。
【図８】送信するＯＦＤＭ方式の放送電波を本発明の適用で受信障害が起こりづらいようにして送信するシステムを示すブロック図で、２系統のうちの一方では、積極的に信号操作を加えない信号を用いる場合の例を示すブロック図である。
【図９】回りこみによる受信障害とその解決策をしめす模式図である。
【図１０】ミリ波伝送を行なう再送信システムを示すブロック図である。
【図１１】ガードインターバルを説明する図である。
【符号の説明】
【００４６】
１  受信アンテナ
２  分岐手段
３、４  信号操作手段
５  合波手段
６、７  増幅器
８  信号操作手段
９  分岐手段
１０、１１  送信アンテナ
１２、１３  送信手段
２１  ミリ波送信部
２２  ミリ波送信部
２３  光信号送信部
２４  ミリ波受信部
２５  再送信部
２６  光信号受信部
【図１】
2007259226.tif 000011
【図２】
2007259226.tif 000012
【図３】
2007259226.tif 000013
【図４】
2007259226.tif 000014
【図５】
2007259226.tif 000015
【図６】
2007259226.tif 000016
【図７】
2007259226.tif 000017
【図８】
2007259226.tif 000018
【図９】
2007259226.tif 000019
【図１０】
2007259226.tif 000020
【図１１】
2007259226.tif 000021